(57)【要約】【課題】買い物客自らがレジ精算を行う場合にも常に正確な精算を行うこと。【解決手段】硬貨識別センサ１３２で識別された金銭が予め収納可能であると設定された金種である場合には金種毎に設けられた硬貨収納庫１２４に収納する一方、硬貨識別センサ１３２で識別された金銭が予め収納不可と設定された金種である場合には機外に払い出す入出金処理部２１６と、レジスタ装置１０から入金動作を許可する入金動作許可指令が与えられた場合、レジスタ装置１０から入金動作を禁止する入金動作禁止指令が与えられるまでの間に硬貨識別センサ１３２を通過した金銭の情報をレジスタ装置１０に出力する一方、レジスタ装置１０から入金動作禁止指令が与えられた場合にはレジスタ装置１０から次の入金動作許可指令が与えられるまでの間、入出金処理部２１６に対してすべての金種を収納不可に設定する制御部２００とを備えた。【選択図】図７
2014130514.tif 000002
【特許請求の範囲】
【請求項１】
上位機器に接続されてレジスタシステムを構成する釣銭機であって、
投入された金銭の金種を識別する金銭識別手段と、
前記金銭識別手段で識別された金銭が予め収納可能であると設定された金種である場合には金種毎に設けられた金銭収納庫に収納する一方、前記金銭識別手段で識別された金銭が予め収納不可と設定された金種である場合には機外に払い出す入金処理手段と、
前記上位機器から入金動作を許可する入金動作許可指令が与えられた場合、前記上位機器から入金動作を禁止する入金動作禁止指令が与えられるまでの間に前記金銭識別手段を通過した金銭の情報を前記上位機器に出力する一方、前記上位機器から入金動作禁止指令が与えられた場合には前記上位機器から次の入金動作許可指令が与えられるまでの間、前記入金処理手段に対してすべての金種を収納不可に設定する制御手段と
を備えたことを特徴とする釣銭機。
【請求項２】
上位機器に接続されてレジスタシステムを構成する釣銭機であって、
投入された金銭の金種を識別する金銭識別手段と、
前記金銭識別手段で識別された金銭が予め収納可能であると設定された金種である場合には金種毎に設けられた金銭収納庫に収納する一方、前記金銭識別手段で識別された金銭が予め収納不可と設定された金種である場合には機外に払い出す入金処理手段と、
２つの動作処理モードを有し、第１の動作処理モードである入金先行モードにおいては前記上位機器から入金動作を許可する入金動作許可指令が与えられた場合、前記上位機器から入金動作を禁止する入金動作禁止指令が与えられるまでの間に前記金銭識別手段を通過した金銭の情報を前記上位機器に出力し、かつ第２の動作処理モードである釣銭先行モードにおいては前記金銭識別手段を通過した金銭の情報を前記上位機器に出力することなく前記入金処理手段によって金銭を搬送する制御手段と
を備え、前記制御手段は、前記上位機器から入金動作許可指令が与えられた場合、前記上位機器から入金動作禁止指令が与えられるまでの間は前記入金先行モードで動作する一方、前記上位機器から入金動作禁止指令が与えられた場合、前記上位機器から次の入金動作許可指令が与えられるまでの間は前記入金処理手段に対してすべての金種を収納不可に設定した状態で前記釣銭先行モードで動作することを特徴とする釣銭機。
【請求項３】
前記制御手段は、前記上位機器から入金モード切替指令が与えられた場合、前記入金モード切替指令に応じた動作処理モードを実行することを特徴とする請求項２に記載の釣銭機。
【請求項４】
前記上位機器から出金指令が与えられた場合、出金指令に応じた金種の金銭を前記金銭収納庫から機外に払い出す出金処理手段を備えたことを特徴とする請求項１または請求項２に記載の釣銭機。
【請求項５】
前記上位機器から出金指令が与えられた場合、出金指令に応じた金種の金銭を前記金銭収納庫から機外に払い出す出金処理手段を備え、
前記制御手段は、釣銭先行モードにおいて前記入金処理手段を動作させている間に前記上位機器から出金指令が与えられた場合、前記入金処理手段の動作を中断し、与えられた出金指令に応じて前記出金処理手段を優先して動作させることを特徴とする請求項２に記載の釣銭機。
【請求項６】
前記出金処理手段によって機外に払い出された金銭を検出する出金検出手段を備え、
前記制御手段は、前記出金処理手段によって金銭が払い出された後、前記出金検出手段の検出結果が検出なしとなった時点で中断した入金処理手段の動作を再開することを特徴とする請求項５に記載の釣銭機。
【請求項７】
商品の登録を行う商品入力手段と、
前記商品入力手段によって登録された商品の代金を順次加算して合計金額を算出する商品代金算出手段と、
商品の登録が終了した場合に前記釣銭機に対して入金動作を許可するための入金動作許可指令を出力する許可指令出力手段と、
前記釣銭機から与えられた金銭の情報に基づいて入金合計金額を算出する入金金額算出手段と、
前記入金金額算出手段の算出した入金合計金額と前記商品代金算出手段の算出した商品の買上合計金額とを比較し、前記入金合計金額が前記買上合計金額以上であるか否かを判断する精算演算手段と、
前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段と
を備えたレジスタ装置を上位機器として、請求項１〜請求項５のいずれか一つに記載した釣銭機に接続したことを特徴とするレジスタシステム。
【請求項８】
商品の登録を行う商品入力手段と、
前記商品入力手段によって登録された商品の代金を順次加算して合計金額を算出する商品代金算出手段と、
商品の登録が終了した場合に前記釣銭機に対して入金動作を許可するための入金動作許可指令を出力する許可指令出力手段と、
前記釣銭機から与えられた金銭の情報に基づいて入金合計金額を算出する入金金額算出手段と、
前記入金金額算出手段の算出した入金合計金額と前記商品代金算出手段の算出した商品の買上合計金額とを比較し、前記入金合計金額が前記買上合計金額以上であるか否かを判断する精算演算手段と、
前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段と、
前記釣銭機に対して入金モード切替指令を出力する入金モード切替指令出力手段と
を備えたレジスタ装置を上位機器として、請求項３に記載した釣銭機に接続し、
前記入金モード切替指令出力手段は、前記禁止指令出力手段から入金動作禁止指令が出力された後、前記商品入力手段を通じて商品の登録が開始されるまでの間、前記釣銭機に対して釣銭先行モードで動作するように入金モード切替指令を出力し、前記商品入力手段を通じて商品の登録が開始された場合に前記釣銭機に対して入金先行モードで動作するように入金モード切替指令を出力することを特徴とするレジスタシステム。
【請求項９】
商品の登録を行う商品入力手段と、
前記商品入力手段によって登録された商品の代金を順次加算して合計金額を算出する商品代金算出手段と、
商品の登録が終了した場合に前記釣銭機に対して入金動作を許可するための入金動作許可指令を出力する許可指令出力手段と、
前記釣銭機から与えられた金銭の情報に基づいて入金合計金額を算出する入金金額算出手段と、
前記入金金額算出手段の算出した入金合計金額と前記商品代金算出手段の算出した商品の買上合計金額とを比較し、前記入金合計金額が前記買上合計金額以上であるか否かを判断する精算演算手段と、
前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段と、
前記釣銭機に対して入金モード切替指令を出力する入金モード切替指令出力手段と
を備えたレジスタ装置を上位機器として、請求項３に記載した釣銭機に接続し、
前記入金モード切替指令出力手段は、前記禁止指令出力手段から入金動作禁止指令が出力された後、前記商品入力手段を通じた商品の登録が終了するまでの間、前記釣銭機に対して釣銭先行モードで動作するように入金モード切替指令を出力し、前記商品入力手段を通じた商品の登録が終了した場合に前記釣銭機に対して入金先行モードで動作するように入金モード切替指令を出力することを特徴とするレジスタシステム。
【発明の詳細な説明】
【技術分野】
【０００１】
本発明は、上位機器であるレジスタ装置に接続されてレジスタシステムを構成する釣銭機及びこの釣銭機を備えたレジスタシステムに関するものである。
【背景技術】
【０００２】
スーパーマーケットなどの店舗で適用されるレジスタシステムは、釣銭機とその上位機器であるレジスタ装置とを備えて構成されるのが一般的である。レジスタ装置は、客の購入した商品を順次登録してその合計金額を算出するものである。登録する商品個々の代金は、例えば商品に添付されたバーコードを読み取ったり、商品に添付された値札を読んでテンキーから入力する。すべての商品の登録が終了した時点で、小計などのキー入力を行うと、レジスタ装置から釣銭機に対して入金を許可するための入金動作許可指令が与えられる。
【０００３】
入金動作許可指令が与えられた釣銭機では、投入口から投入された貨幣が貨幣識別手段へ搬送され、その金種が貨幣識別手段で識別された後、金種毎に設けられた貨幣収納庫に収納される。貨幣識別手段で識別された貨幣の情報は、レジスタ装置に通知される。
【０００４】
すべての貨幣の投入が終了した後、レジスタ装置から合計などのキー入力を行うと、レジスタ装置から釣銭機に対して入金を禁止するための入金動作禁止指令が与えられ、以降、投入口から貨幣識別手段への貨幣の搬送が停止することになり、釣銭機に投入された貨幣の合計金額が確定する。その後、レジスタ装置においては、通知された貨幣の情報に基づいて投入された貨幣の合計金額が算出され、その算出結果と客の購入した商品の合計金額との比較が行われる。投入された貨幣の合計金額が多い場合には、レジスタ装置から釣銭機に対してその差額を釣銭として払い出すように出金指令が与えられる。釣銭を払い出すように指令が与えられた釣銭機では、該当する貨幣収納庫から釣銭となる貨幣を出金口に払い出す処理が行われる。
【０００５】
上記のレジスタシステムによれば、釣銭機の投入口から投入された貨幣の合計金額がレジスタ装置によって算出され、その算出結果に基づいて精算が行われることになる。従って、買い物客自らがレジ精算を行う、いわゆるセルフレジスタシステムとして適用した場合にも、正確な精算を行うことが可能となる（例えば、特許文献１参照）。
【先行技術文献】
【特許文献】
【０００６】
【特許文献１】特開２００９−５９１９１号公報
【発明の概要】
【発明が解決しようとする課題】
【０００７】
ところで、上述したレジスタシステムの釣銭機においては、釣銭となる貨幣を払い出した後、一定時間が経過すると、投入口から貨幣識別手段への貨幣の搬送が停止されることになる。従って、貨幣の搬送が停止した後、セルフレジスタシステムに不慣れな買い物客や子供などが貨幣を誤って投入した場合には、投入された貨幣がそのまま残存した状態となる。このような状態のまま、次の買い物客がセルフレジスタシステムでレジ精算を行うと、残存した貨幣が貨幣識別手段を通過することになり、実際に客が釣銭機に投入した貨幣の合計金額と、レジスタ装置に通知される貨幣の合計金額とが不一致となり、正確な精算を行うことが困難となる。
【０００８】
本発明は、上記に鑑みてなされたものであって、買い物客自らがレジ精算を行う場合にも、常に正確な精算を行うことができる釣銭機及びレジスタシステムを提供することを目的とする。
【課題を解決するための手段】
【０００９】
上述した課題を解決し、目的を達成するために、本発明に係る釣銭機は、上位機器に接続されてレジスタシステムを構成する釣銭機であって、投入された金銭の金種を識別する金銭識別手段と、前記金銭識別手段で識別された金銭が予め収納可能であると設定された金種である場合には金種毎に設けられた金銭収納庫に収納する一方、前記金銭識別手段で識別された金銭が予め収納不可と設定された金種である場合には機外に払い出す入金処理手段と、前記上位機器から入金動作を許可する入金動作許可指令が与えられた場合、前記上位機器から入金動作を禁止する入金動作禁止指令が与えられるまでの間に前記金銭識別手段を通過した金銭の情報を前記上位機器に出力する一方、前記上位機器から入金動作禁止指令が与えられた場合には前記上位機器から次の入金動作許可指令が与えられるまでの間、前記入金処理手段に対してすべての金種を収納不可に設定する制御手段とを備えたことを特徴とする。
【００１０】
また、本発明に係る釣銭機は、上位機器に接続されてレジスタシステムを構成する釣銭機であって、投入された金銭の金種を識別する金銭識別手段と、前記金銭識別手段で識別された金銭が予め収納可能であると設定された金種である場合には金種毎に設けられた金銭収納庫に収納する一方、前記金銭識別手段で識別された金銭が予め収納不可と設定された金種である場合には機外に払い出す入金処理手段と、２つの動作処理モードを有し、第１の動作処理モードである入金先行モードにおいては前記上位機器から入金動作を許可する入金動作許可指令が与えられた場合、前記上位機器から入金動作を禁止する入金動作禁止指令が与えられるまでの間に前記金銭識別手段を通過した金銭の情報を前記上位機器に出力し、かつ第２の動作処理モードである釣銭先行モードにおいては前記金銭識別手段を通過した金銭の情報を前記上位機器に出力することなく前記入金処理手段によって金銭を搬送する制御手段とを備え、前記制御手段は、前記上位機器から入金動作許可指令が与えられた場合、前記上位機器から入金動作禁止指令が与えられるまでの間は前記入金先行モードで動作する一方、前記上位機器から入金動作禁止指令が与えられた場合、前記上位機器から次の入金動作許可指令が与えられるまでの間は前記入金処理手段に対してすべての金種を収納不可に設定した状態で前記釣銭先行モードで動作することを特徴とする。
【００１１】
また、本発明は、上述した釣銭機において、前記制御手段は、前記上位機器から入金モード切替指令が与えられた場合、前記入金モード切替指令に応じた動作処理モードを実行することを特徴とする。
【００１２】
また、本発明は、上述した釣銭機において、前記上位機器から出金指令が与えられた場合、出金指令に応じた金種の金銭を前記金銭収納庫から機外に払い出す出金処理手段を備えたことを特徴とする。
【００１３】
また、本発明は、上述した釣銭機において、前記上位機器から出金指令が与えられた場合、出金指令に応じた金種の金銭を前記金銭収納庫から機外に払い出す出金処理手段を備え、前記制御手段は、釣銭先行モードにおいて前記入金処理手段を動作させている間に前記上位機器から出金指令が与えられた場合、前記入金処理手段の動作を中断し、与えられた出金指令に応じて前記出金処理手段を優先して動作させることを特徴とする。
【００１４】
また、本発明は、上述した釣銭機において、前記出金処理手段によって機外に払い出された金銭を検出する出金検出手段を備え、前記制御手段は、前記出金処理手段によって金銭が払い出された後、前記出金検出手段の検出結果が検出なしとなった時点で中断した入金処理手段の動作を再開することを特徴とする。
【００１５】
また、本発明に係るレジスタシステムは、商品の登録を行う商品入力手段と、前記商品入力手段によって登録された商品の代金を順次加算して合計金額を算出する商品代金算出手段と、商品の登録が終了した場合に前記釣銭機に対して入金動作を許可するための入金動作許可指令を出力する許可指令出力手段と、前記釣銭機から与えられた金銭の情報に基づいて入金合計金額を算出する入金金額算出手段と、前記入金金額算出手段の算出した入金合計金額と前記商品代金算出手段の算出した商品の買上合計金額とを比較し、前記入金合計金額が前記買上合計金額以上であるか否かを判断する精算演算手段と、前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段とを備えたレジスタ装置を上位機器として、上述したいずれか一つの釣銭機に接続したことを特徴とする。
【００１６】
また、本発明に係るレジスタシステムは、商品の登録を行う商品入力手段と、前記商品入力手段によって登録された商品の代金を順次加算して合計金額を算出する商品代金算出手段と、商品の登録が終了した場合に前記釣銭機に対して入金動作を許可するための入金動作許可指令を出力する許可指令出力手段と、前記釣銭機から与えられた金銭の情報に基づいて入金合計金額を算出する入金金額算出手段と、前記入金金額算出手段の算出した入金合計金額と前記商品代金算出手段の算出した商品の買上合計金額とを比較し、前記入金合計金額が前記買上合計金額以上であるか否かを判断する精算演算手段と、前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段と、前記釣銭機に対して入金モード切替指令を出力する入金モード切替指令出力手段とを備えたレジスタ装置を上位機器として、上述した釣銭機に接続し、前記入金モード切替指令出力手段は、前記禁止指令出力手段から入金動作禁止指令が出力された後、前記商品入力手段を通じて商品の登録が開始されるまでの間、前記釣銭機に対して釣銭先行モードで動作するように入金モード切替指令を出力し、前記商品入力手段を通じて商品の登録が開始された場合に前記釣銭機に対して入金先行モードで動作するように入金モード切替指令を出力することを特徴とする。
【００１７】
また、本発明に係るレジスタシステムは、商品の登録を行う商品入力手段と、前記商品入力手段によって登録された商品の代金を順次加算して合計金額を算出する商品代金算出手段と、商品の登録が終了した場合に前記釣銭機に対して入金動作を許可するための入金動作許可指令を出力する許可指令出力手段と、前記釣銭機から与えられた金銭の情報に基づいて入金合計金額を算出する入金金額算出手段と、前記入金金額算出手段の算出した入金合計金額と前記商品代金算出手段の算出した商品の買上合計金額とを比較し、前記入金合計金額が前記買上合計金額以上であるか否かを判断する精算演算手段と、前記釣銭機に対する入金が終了した場合に前記精算演算手段の判断結果を参照し、前記入金合計金額が前記買上合計金額以上であることを条件に前記釣銭機に対して入金動作を禁止するための入金動作禁止指令を出力する禁止指令出力手段と、前記釣銭機に対して入金モード切替指令を出力する入金モード切替指令出力手段とを備えたレジスタ装置を上位機器として、上述した釣銭機に接続し、前記入金モード切替指令出力手段は、前記禁止指令出力手段から入金動作禁止指令が出力された後、前記商品入力手段を通じた商品の登録が終了するまでの間、前記釣銭機に対して釣銭先行モードで動作するように入金モード切替指令を出力し、前記商品入力手段を通じた商品の登録が終了した場合に前記釣銭機に対して入金先行モードで動作するように入金モード切替指令を出力することを特徴とする。
【発明の効果】
【００１８】
本発明によれば、上位機器から入金動作禁止指令が与えられた場合には上位機器から次の入金動作許可指令が与えられるまでの間、入金処理手段に対してすべての金種を収納不可に設定しているため、入金動作禁止指令が与えられた後に次の入金動作許可指令が与えられるまでに投入された金銭はすべて機外に払い出されることになる。従って、次の買い物客が実際に投入した金銭の合計金額と上位機器に通知される金銭の合計金額とが一致することになり、買い物客自らがレジ精算を行うセルフレジスタシステムにおいても、常に正確な精算を行うことが可能となる。
【図面の簡単な説明】
【００１９】
【図１】図１は、本発明の実施の形態１であるジスタシステムの構成例を示す斜視図である。
【図２】図２は、図１に示したレジスタシステムに適用する釣銭機の外観を示す斜視図である。
【図３】図３は、図２に示した釣銭機の正面図である。
【図４】図４は、図２に示した釣銭機の平面図である。
【図５】図５は、図２に示した釣銭機の硬貨搬送機構を模式的に示した平面図である。
【図６】図６は、図２に示した釣銭機の紙幣搬送機構を模式的に示した側面図である。
【図７】図７は、図１に示したレジスタシステムの制御系を示すブロック図である。
【図８】図８は、図７に示したレジスタ装置のレジスタ制御部及び釣銭機の制御部が実施する処理の内容を示すフローチャートである。
【図９】図９は、図７に示したレジスタ装置のレジスタ制御部及び釣銭機の制御部が実施する処理の他の例の内容を示すフローチャートである。
【図１０】図１０は、本発明の実施の形態２であるレジスタシステムの制御系を示すブロック図である。
【図１１】図１１は、図１０に示したレジスタ装置のレジスタ制御部及び釣銭機の制御部が実施する処理の内容を示すフローチャートである。
【発明を実施するための形態】
【００２０】
以下に、本発明に係る釣銭機及びレジスタシステムの実施の形態を図面に基づいて詳細に説明する。
【００２１】
（実施の形態１）
図１は、本発明の実施の形態１であるレジスタシステムの構成例を示したものである。ここで例示するレジスタシステムは、スーパーマーケット等の店舗で用いられるもので、レジスタ装置１０及び釣銭機２０を備えて構成してある。
【００２２】
レジスタ装置１０は、釣銭機２０に対して上位機器となるもので、バーコードリーダ１１、表示器１２を備えている。バーコードリーダ１１は、購入した商品の登録を行うための商品入力手段として機能するもので、商品に添付されたバーコードを読み取り、その読取結果を商品固有の識別情報として後述するレジスタ制御部１００に入力するものである。表示器１２は、タッチパネル式の液晶表示装置によって構成した入出力デバイスであり、表示情報が与えられた場合に表示を行う一方、画面上に表示した各種ボタンやキーが押圧操作された場合にボタンやキーに対応付けられた指令を後述するレジスタ制御部１００に入力するように機能する。本実施の形態１では、表示器１２に小計ボタン１２ａ、合計ボタン１２ｂを表示するようにしている。小計ボタン１２ａは、購入した商品すべての登録が終了したことを通知するためのものである。合計ボタン１２ｂは、釣銭機２０に対する貨幣の投入が終了したことを通知するためのものである。
【００２３】
釣銭機２０は、図２〜図６に示すように、貨幣の入出金を行うためのもので、直方体状を成す装置筐体２１の前端部に硬貨投入口２２、硬貨出金口２３、硬貨返却口２４、紙幣投入口２５、紙幣出金口２６を備えている。
【００２４】
硬貨投入口２２は、投入された硬貨を装置筐体２１の内部に受け入れるための開口であり、装置筐体２１の上面に形成してある。硬貨投入口２２に投入された硬貨は、投入検出センサ２２ａによって検出された後、硬貨収納部１２０の硬貨搬送機構１２１によって装置筐体２１の内部に取り込まれる。装置筐体２１に取り込まれた硬貨は、硬貨識別センサ（金銭識別手段）１２２によって識別された後、予め収納可能に設定された金種については硬貨搬送機構１２１の駆動によって一時保留庫１２３に一旦収容され、さらにその後、硬貨搬送機構１２１の駆動によって金種に応じた硬貨収納庫（金銭収納庫）１２４に収納されることになる（図５中の実線矢印Ａ）。本実施の形態１では、装置筐体２１の内部に１円硬貨収納庫１２４ａ、５０円硬貨収納庫１２４ｂ、５円硬貨収納庫１２４ｃ、１００円硬貨収納庫１２４ｄ、１０円硬貨収納庫１２４ｅ、５００円硬貨収納庫１２４ｆが設けてあり、一時保留庫１２３を経由した後の硬貨を金種ごとに個別に収納するようにしている。一時保留庫１２３に関しては、装置筐体２１の内部に唯一設けてあり、すべての金種の硬貨で共用するようにしている。硬貨出金口２３は、それぞれの硬貨収納庫１２４から搬出された硬貨を装置筐体２１の外部に払い出すための開口であり、装置筐体２１の前面に形成してある。硬貨識別センサ１２２において正規の硬貨でないと判断されたリジェクト硬貨、さらには予め収納不可と設定された金種の硬貨についても、図５中の破線矢印Ｂで示すように、硬貨出金口２３を介して払い出されることになる。硬貨返却口２４は、硬貨が一時保留庫１２３に保留されている状態において返却指令が与えられた場合に硬貨を払い出すためのものである。返却硬貨は、図５中の二点鎖線矢印Ｃで示すように、一時保留庫１２３から硬貨返却口２４に払い出されることになる。
【００２５】
紙幣投入口２５は、図２に示すように、投入された紙幣を装置筐体２１の内部に受け入れるための開口であり、装置筐体２１の前面上部に設けてある。紙幣投入口２５に投入された紙幣は、図６に示すように、投入検出センサ２５ａによって検出された後、紙幣収納部１３０の紙幣搬送機構１３１によって搬送される。搬送された紙幣は、紙幣識別センサ（金銭識別手段）１３２によって識別された後、予め収納可能に設定された金種については紙幣保留庫１３３を経由して金種に応じた紙幣収納庫（金銭収納庫）１３４に収納されることになる。本実施の形態１では、装置筐体２１の内部に予備紙幣収納庫１３４ａ、１０００円紙幣収納庫１３４ｂ、混合紙幣収納庫１３４ｃが設けてあり、投入された紙幣を１０００円札、５０００円札及びその他の紙幣の３種類に分別して収納するようにしている。紙幣保留庫１３３に関しては、それぞれの紙幣収納庫１３４の内部において上流側となる部分に分割構成してある。紙幣搬送機構１３１によって搬送される以前の紙幣は、紙幣投入口２５に投入した場合にも、その一部が外部に露出された状態となる。紙幣出金口２６は、紙幣収納庫１３４から搬出された紙幣を装置筐体２１の外部に払い出すための開口であり、装置筐体２１の前面下部に設けてある。紙幣識別センサ１３２において正規の紙幣でないと判断されたリジェクト紙幣、さらには予め収納不可と設定された金種の紙幣についても、紙幣出金口２６に払い出されることになる。紙幣出金口２６に払い出された紙幣は、その一部が外部に露出した状態となり、露出した部分を把持すれば、装置筐体２１の外部に引き出すことが可能である。
【００２６】
また、装置筐体２１の前方部には、図２〜図４に示すように、表示手段２７及び入力手段２８が設けてある。表示手段２７は、操作者に対して各種表示を行うためのものである。入力手段２８は、操作者が各種指令を入力するためのもので、例えば複数の押ボタンスイッチによって構成してある。
【００２７】
図７は、上述したレジスタ装置１０及び釣銭機２０の制御系を示すブロック図である。レジスタ装置１０のレジスタ制御部１００は、バーコードリーダ１１や小計ボタン１２ａや合計ボタン１２ｂが操作された場合、あるいは通信インターフェース１０１を通じて釣銭機２０から各種情報が与えられた場合、メモリ１０２に格納したプログラムや初期データに基づいて表示器１２の表示制御を行い、かつ通信インターフェース１０１を通じて釣銭機２０に各種指令を与えることにより、上位機器として釣銭機２０の動作を制御するものである。このレジスタ制御部１００は、通信制御部１１０、入力制御部１１１、出力制御部１１２、商品代金算出部（商品代金算出手段）１１３、許可指令出力部（許可指令出力手段）１１４、入金金額算出部（入金金額算出手段）１１５、精算演算部（精算演算手段）１１６、禁止指令出力部（禁止指令出力手段）１１７、出金指令出力部１１８、入金モード切替指令出力部（入金モード切替指令出力手段）１１９を有している。
【００２８】
通信制御部１１０は、通信インターフェース１０１を介して接続された釣銭機２０の通信制御部２１０との間において接続確立処理を行うことにより、釣銭機２０との間において入出金処理に関わる情報の送受信制御を行うものである。入力制御部１１１は、バーコードリーダ１１、小計ボタン１２ａ、合計ボタン１２ｂが押圧操作された場合にそれぞれに対応する操作信号を各部に与えるものである。出力制御部１１２は、表示指令を与えることによって表示器１２に所望の表示を行う等、表示器１２に対する表示制御を行うものである。商品代金算出部１１３は、入力制御部１１１を通じて与えられたバーコードリーダ１１の入力結果に基づいて商品の代金情報を抽出し、その抽出結果を順次加算することにより、登録された商品の代金を算出するものである。許可指令出力部１１４は、入力制御部１１１を通じて小計ボタン１２ａの操作信号が与えられた場合に、釣銭機２０に対して入金動作を許可するための入金動作許可指令を出力するものである。入金金額算出部１１５は、釣銭機２０から貨幣の金種情報が与えられた場合にこれを順次加算して入金合計金額を算出するものである。
【００２９】
バーコードリーダ１１の入力結果に基づいて商品代金算出部１１３が抽出した商品の代金、商品代金算出部１１３によって算出された商品代金、入金金額算出部１１５によって算出された釣銭機２０に対する入金合計金額は、それぞれ出力制御部１１２に与えられることになり、表示器１２を通じて逐次表示することが可能である。
【００３０】
精算演算部１１６は、小計ボタン１２ａの操作信号が与えられた時点での商品代金算出部１１３の算出した商品代金と、合計ボタン１２ｂの操作信号が与えられた時点での入金金額算出部１１５の算出した入金合計金額とを比較し、入金合計金額が商品代金以上であるか否かを判断する。禁止指令出力部１１７は、入力制御部１１１を通じて合計ボタン１２ｂの操作信号が与えられた場合に精算演算部１１６の判断結果を参照し、入金合計金額が買上合計金額以上であることを条件に釣銭機２０に対して入金動作を禁止するための入金動作禁止指令を出力するものである。出金指令出力部１１８は、入力制御部１１１を通じて合計ボタン１２ｂの操作信号が与えられた時点で精算演算部１１６の比較結果を参照し、入金合計金額が商品代金以上の場合に、その差額に応じた貨幣を出金するための出金指令（差額≠０もしくは差額＝０）を釣銭機２０に出力するものである。入金モード切替指令出力部１１９は、釣銭機２０に対して入金モードを切り替えるための指令を出力するものである。具体的には、禁止指令出力部１１７から入金動作禁止指令が出力された後、バーコードリーダ１１を通じて商品の登録が開始されるまでの間、入金モード切替指令出力部１１９は、釣銭機２０に対して釣銭先行モードで動作するように入金モード切替指令を出力し、バーコードリーダ１１を通じて商品の登録が開始された場合に釣銭機２０に対して入金先行モードで動作するように入金モード切替指令を出力する。
【００３１】
釣銭機２０の制御部（制御手段）２００は、入力手段２８を通じて指令が与えられた場合、あるいは投入検出センサ２２ａ，２５ａ、硬貨識別センサ１２２、紙幣識別センサ１３２から検出信号が与えられた場合、さらには上位機器であるレジスタ装置１０のレジスタ制御部１００から各種指令が与えられた場合、メモリ２０２に格納したプログラムや初期データに基づいて表示手段２７の表示制御、硬貨搬送機構１２１の駆動制御、紙幣搬送機構１３１の駆動制御を行うものである。図からも明らかなように、釣銭機２０の制御部２００は、通信制御部２１０、入力制御部２１１、出力制御部２１２、搬送制御部２１３、入金モード設定部２１４、入金許可金種設定部２１５、入出金処理部（入金処理手段、出金処理手段）２１６、金種情報出力部２１７を有している。
【００３２】
通信制御部２１０は、通信インターフェース２０１を介して接続されたレジスタ装置１０の通信制御部１１０からの要求に従って接続確立処理を行うことにより、レジスタ装置１０との間において入出金処理に関わる情報の送受信制御を行うものである。入力制御部２１１は、入力手段２８が操作された場合、さらにはレジスタ装置１０から入金動作許可指令及び入金動作禁止指令が与えられた場合、これらに対応する指令を各部に与えるものである。出力制御部２１２は、表示指令を与えることによって表示手段２７に所望の表示を行う等、表示手段２７に対する表示制御を行うものである。搬送制御部２１３は、搬送指令が与えられた場合に、この搬送指令に従って硬貨搬送機構１２１の駆動及び紙幣搬送機構１３１の駆動を制御するものである。入金モード設定部２１４は、レジスタ装置１０の入金モード切替指令出力部１１９から与えられた入金モード切替指令に応じて釣銭機２０の入金モードを設定するものである。入金許可金種設定部２１５は、入力手段２８を通じて硬貨収納庫１２４や紙幣収納庫１３４への収納を許可する金種が設定された場合に該当する金種を許可金種情報としてメモリに格納するものである。本実施の形態１では、入金モードに応じてそれぞれ異なる許可金種情報を設定することが可能である。入出金処理部２１６は、入金モード設定部２１４によって設定された現在の入金モードに応じた許可金種情報を参照し、この参照結果に応じて搬送制御部２１３に搬送指令を与えるものである。すなわち、硬貨識別センサ１２２及び紙幣識別センサ１３２で識別された貨幣が予め収納可能であると設定された金種である場合には搬送制御部２１３を通じて当該貨幣を金種毎に設けられた硬貨収納庫１２４や紙幣収納庫１３４に収納する一方、硬貨識別センサ１２２及び紙幣識別センサ１３２で識別された貨幣が予め収納可能と設定されていない金種である場合には当該貨幣を硬貨出金口２３及び紙幣出金口２６から装置筐体２１の外部に払い出す処理を行う。また、入出金処理部２１６は、レジスタ装置１０の出金指令出力部１１８から出金指令が与えられた場合、出金指令に従って搬送制御部２１３に搬送指令を出力し、硬貨収納庫１２４や紙幣収納庫１３４に収納された貨幣を硬貨出金口２３及び紙幣出金口２６から装置筐体２１の外部に払い出す出金動作を行う。但し、出金指令で指示された差額＝０の場合には、上述の出金動作は省略される。金種情報出力部２１７は、出力指令が与えられた場合に硬貨識別センサ１２２及び紙幣識別センサ１３２を通過した貨幣の金種情報をレジスタ装置１０に出力するものである。
【００３３】
図８は、上述したレジスタ装置１０及び釣銭機２０をセルフレジスタシステムで適用した場合にレジスタ装置１０のレジスタ制御部１００と釣銭機２０の制御部２００との間で繰り返し実施される取引処理及び入出金処理の内容を示すフローチャートである。以下、これらのフローチャートを参照しながらレジスタ装置１０及び釣銭機２０の動作について説明する。
【００３４】
図８に示す取引処理においてレジスタ制御部１００は、まず入力制御部１１１を介してバーコードリーダ１１から入力があるか否かを監視する（ステップＳ１０１）。バーコードリーダ１１から入力がない場合（ステップＳ１０１：Ｎｏ）、レジスタ制御部１００は、以降の処理を実施することなく手順をリターンさせる。
【００３５】
これに対して買い物客がレジ精算を行うべく、バーコードリーダ１１で商品に添付されたバーコードの読み取りを行うと（ステップＳ１０１：Ｙｅｓ）、レジスタ制御部１００は、入金モード切替指令出力部１１９を通じて釣銭機２０に入金先行モードで動作するように入金モード切替指令を出力し（ステップＳ１０２）、その後、小計ボタン１２ａが押圧操作されるまでの間、バーコードリーダ１１を通じた商品の登録待機状態となる（ステップＳ１０３〜ステップＳ１０６）。
【００３６】
レジスタ装置１０から入金モード切替指令を受信すると（ステップＳ２０１：Ｙｅｓ→ステップＳ２０２：Ｙｅｓ）、釣銭機２０の制御部２００は、入金モード設定部２１４を通じて釣銭機２０の入金モードを入金先行モードに設定し（ステップＳ２０３）、その後、レジスタ装置１０から入金動作許可指令の受信待機状態となる（ステップＳ２０５：Ｎｏ→ステップＳ２１８）。尚、レジスタ装置１０から入金動作許可指令が出力されるまでの間に貨幣投入口２２，２５から貨幣が投入された場合にも、硬貨搬送機構１２１や紙幣搬送機構１３１が駆動することはなく、貨幣投入口２２，２５に貨幣が投入されたままの状態に維持される。
【００３７】
レジスタ装置１０において買い物客がバーコードリーダ１１を通じて商品の登録処理を行うと（ステップＳ１０３：Ｙｅｓ）、レジスタ装置１０のレジスタ制御部１００は、商品代金算出部１１３を通じて当該商品の代金情報を抽出し、これを商品代金として算出し（ステップＳ１０４）、さらに出力制御部１１２を通じて商品代金を表示器１２に表示する処理を行う。購入した商品が複数の場合には、バーコードリーダ１１でバーコードを読み取るたびに抽出された商品の代金が加算され、その加算結果が表示器１２に都度表示されることになる。購入したすべての商品の登録処理が終了し、買い物客が表示器１２に表示された小計ボタン１２ａを押圧操作すると（ステップＳ１０６：Ｙｅｓ）、レジスタ制御部１００は、許可指令出力部１１４を通じて釣銭機２０に入金動作許可指令を出力する処理を行い（ステップＳ１０７）、その後、合計ボタン１２ｂが押圧操作されるまでの間、釣銭機２０からの金銭情報の受信待機状態となる（ステップＳ１０７〜ステップＳ１１１）。
【００３８】
レジスタ装置１０から入金動作許可指令を受信すると（ステップＳ２１８：Ｙｅｓ）、釣銭機２０の制御部２００は、入出金処理部２１６を通じてメモリ２０２に格納された許可金種情報を読み出し、現在の入金モードに応じて設定された許可金種の設定を行う（ステップＳ２１９）。例えば、入金先行モードに対しては、入金許可金種設定部２１５を通じて予めすべての金種が許可金種として設定されているものとする。
【００３９】
許可金種の設定を行った釣銭機２０では、投入検出センサ２２ａ，２５ａを通じて貨幣の投入を検出すると（ステップＳ２２０：Ｙｅｓ）、入金動作が開始され（ステップＳ２２１）、貨幣の投入なしを検出するまでの間、硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別される（ステップＳ２２２〜ステップＳ２２６）。つまり、入金先行モードでは、すべての貨幣について正規であるか否かが識別される。正規であると識別された貨幣は、金種別に硬貨収納庫１２４や紙幣収納庫１３４に収納され（ステップＳ２２２：Ｙｅｓ→ステップＳ２２３）、正規でないと識別された貨幣は、硬貨出金口２３及び紙幣出金口２６に払い出される（ステップＳ２２２：Ｎｏ→ステップＳ２２４）。この間、釣銭機２０の制御部２００は、金種情報出力部２１７に出力指令を与えることにより硬貨収納庫１２４や紙幣収納庫１３４に収納された貨幣の金種情報をレジスタ装置１０に出力する処理を行う（ステップＳ２２５）。投入検出センサ２２ａ，２５ａが貨幣の投入なしを検出した場合（ステップＳ２２６：Ｙｅｓ）、つまり、貨幣投入口２２，２５から投入されたすべての貨幣の識別が終了すると入金動作が終了し（ステップＳ２２７）、釣銭機２０の制御部２００は、レジスタ装置１０からの入金動作禁止指令の受信待機状態となる（ステップＳ２２８）。尚、貨幣の金種情報をレジスタ装置１０へ出力するタイミングは、必ずしも上記に限らない。例えば、硬貨識別センサ１２２や紙幣識別センサ１３２で貨幣の識別を行った時点、あるいは硬貨収納部１２０の一時保留庫１２３や紙幣収納部１３０の紙幣保留庫１３３に貨幣を収納した時点で金種情報をレジスタ装置１０へ出力するようにしても良い。
【００４０】
釣銭機２０から金種情報を受信したレジスタ装置１０のレジスタ制御部１００は、入金金額算出部１１５を通じて入金合計金額を算出し（ステップＳ１０８：Ｙｅｓ→ステップＳ１０９）、さらに出力制御部１１２を通じて入金合計金額を表示器１２に表示する処理を行う（ステップＳ１１０）。
【００４１】
釣銭機２０に投入した貨幣の合計金額と、表示器１２に表示された入金合計金額とが一致するなどしてレジスタ装置１０の合計ボタン１２ｂが押圧操作されると（ステップＳ１１１：Ｙｅｓ）、レジスタ制御部１００は、精算演算部１１６を通じて小計ボタン１２ａの操作信号が与えられた時点での商品代金算出部１１３の算出した商品代金と、合計ボタン１２ｂの操作信号が与えられた時点での入金金額算出部１１５の算出した入金合計金額とを比較し、入金合計金額が商品代金以上であるか否かを判断する（ステップＳ１１２）。入金合計金額が商品代金に満たない場合（ステップＳ１１２：Ｎｏ）、レジスタ制御部１００は、手順をステップＳ１０８に移行し、再び釣銭機２０からの金種情報の受信待機状態となる。従って、釣銭機２０に不足分の貨幣を投入すれば、投入した貨幣の金額が入金合計金額に加算されることになる。
【００４２】
一方、入金合計金額が商品代金以上である場合（ステップＳ１１２：Ｙｅｓ）、レジスタ制御部１００は、さらに入金合計金額が商品代金を超えているか否かを判断する（ステップＳ１１３）。入金合計金額が商品代金を超えている場合（ステップＳ１１３：Ｙｅｓ）、レジスタ制御部１００は、禁止指令出力部１１７を通じて釣銭機２０に入金動作禁止指令を出力し（ステップＳ１１４）、その後、精算演算部１１６を通じて入金合計金額と商品代金の差額を算出し（ステップＳ１１５）、さらに釣銭機２０に対して差額に応じた出金指令（差額≠０）を出力し（ステップＳ１１６）、手順をステップＳ１１９に移行する。
【００４３】
これに対して、入金合計金額が商品代金と等しい場合（ステップＳ１１３：Ｎｏ）、レジスタ制御部１００は、禁止指令出力部１１７を通じて釣銭機２０に入金動作禁止指令を出力し（ステップＳ１１７）、その後、釣銭機２０に対して出金指令（差額＝０）を出力し（ステップＳ１１８）、手順をステップＳ１１９に移行する。ステップＳ１１９においてレジスタ制御部１００は、入金モード切替指令出力部１１９を通じて釣銭機２０に釣銭先行モードで動作するように入金モード切替指令を出力し、その後、今回の取引処理を終了すべく手順をリターンする。
【００４４】
ステップＳ２２８においてレジスタ装置１０から入金動作禁止指令を受信した釣銭機２０の制御部２００は、次いでレジスタ装置１０から出金指令の受信待機状態となる（ステップＳ２２９）。レジスタ装置１０から出金指令（差額≠０）を受信した場合（ステップＳ２２９：Ｙｅｓ）、釣銭機２０の制御部２００は、入出金処理部２１６を通じて硬貨収納庫１２４や紙幣収納庫１３４に収納されている貨幣を硬貨出金口２３及び紙幣出金口２６から装置筐体２１の外部に払い出す出金動作を行い（ステップＳ２３０）、その後、今回の入出金処理を終了すべく手順をリターンする。これに対してレジスタ装置１０から出金指令（差額＝０）を受信した場合（ステップＳ２２９：Ｎｏ）、釣銭機２０の制御部２００は、ステップＳ２３０の処理を実施することなく手順をリターンさせて今回の入出金処理を終了する。
【００４５】
ここで、今回の入出金処理を終了した釣銭機２０は、レジスタ装置１０から出力された入金モード切替指令に基づきステップＳ２０１〜ステップＳ２０４の処理により、入力モードが釣銭先行モードに設定される。これにより、以降、レジスタ装置１０において買い物客が新たに商品添付されたバーコードの読み取りを行わない限り、釣銭機２０が釣銭先行モードで動作することになる。
【００４６】
ここで、この釣銭機２０に用意された釣銭先行モードは、有人レジスタシステムにおいて上位機器であるレジスタ装置１０で既に商品の登録が完了し、小計ボタン１２ａが押圧操作された後に以下のように使用されるものである。すなわち、入金モードが釣銭先行モードに設定された釣銭機２０では、まず入出金処理部２１６を通じてメモリ２０２に格納された許可金種情報を読み出し、現在の入金モードに応じて設定された許可金種の設定を行う（ステップＳ２０５：Ｙｅｓ→ステップＳ２０６）。
【００４７】
許可金種の設定を行った釣銭機２０では、投入検出センサ２２ａ，２５ａを通じて貨幣の投入を検出すると（ステップＳ２０７：Ｙｅｓ）、入金動作が開始され（ステップＳ２０８）、貨幣の投入なしを検出するまでの間、硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別される（ステップＳ２０９〜ステップＳ２１３）。収納可能であると識別された貨幣は、金種別に硬貨収納庫１２４や紙幣収納庫１３４に収納され（ステップＳ２０９：Ｙｅｓ→ステップＳ２１０）、収納可能でないと識別された貨幣は、硬貨出金口２３及び紙幣出金口２６に払い出される（ステップＳ２０９：Ｎｏ→ステップＳ２１１）。この釣銭先行モードでは、金種情報出力部２１７を通じて硬貨収納庫１２４や紙幣収納庫１３４に収納された貨幣の金種情報をレジスタ装置１０に出力する処理を行わない。
【００４８】
投入検出センサ２２ａ，２５ａが貨幣の投入なしを検出すると入金動作が終了し（ステップＳ２１３：Ｙｅｓ→ステップＳ２１４）、その後、レジスタ装置１０からの出金指令の受信待機状態となる（ステップＳ２１５）。レジスタ装置１０からの出金指令は、レジスタ装置１０において店員により入金金額が入力された時点で、商品代金算出部１１３の算出した商品代金と、入力された入金合計金額とが比較され、入金合計金額が商品代金以上の場合に、釣銭機２０に対して差額に応じた出金指令（差額≠０もしくは差額＝０）が出力される。
【００４９】
レジスタ装置１０から出金指令（差額≠０）を受信した場合（ステップＳ２１５：Ｙｅｓ）、釣銭機２０の制御部２００は、入出金処理部２１６を通じて硬貨収納庫１２４や紙幣収納庫１３４に収納されている貨幣を硬貨出金口２３及び紙幣出金口２６から装置筐体２１の外部に払い出す出金動作を行う（ステップＳ２１６）。レジスタ装置１０から出金指令（差額＝０）を受信した場合（ステップＳ２１５：Ｎｏ）、釣銭機２０の制御部２００は、上述の出金動作を行うことなく手順をリターンさせる。
【００５０】
硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別されている間にレジスタ装置１０から出金指令（差額≠０）が出力された場合（ステップＳ２１２：Ｙｅｓ）、釣銭機２０の制御部２００は、入金動作を中断し、出金動作を優先して行う（ステップＳ２１６）。入金動作を中断した場合に出金動作を実施した釣銭機２０の制御部２００は、出金検出センサ（出金検出手段）２３ａ，２５ｂを介して硬貨出金口２３及び紙幣出金口２６が空になったか否かを監視し（ステップＳ２１７）、空になった場合（ステップＳ２１７：Ｙｅｓ）、手順をステップＳ２０７に移行して入金動作を再開する。
【００５１】
上記のように動作する釣銭機２０の釣銭先行モードに対しては、入金許可金種設定部２１５を通じて予め許可金種なしと設定すれば、貨幣投入口２２，２５から投入されたすべての貨幣が硬貨出金口２３及び紙幣出金口２６に払い出されることになる（ステップＳ２０９：Ｎｏ→ステップＳ２１１）。従って、セルフレジスタシステムに不慣れな買い物客や子供などが貨幣を誤って投入したとしても、レジスタ装置１０において買い物客が新たに商品添付されたバーコードの読み取りを行う時点では、硬貨投入口２２及び紙幣投入口２５のいずれにも貨幣が残存していることがない。これにより、レジスタ装置１０から入金動作許可指令が与えられてから入金動作禁止指令が与えられるまでの間においては、買い物客が実際に投入した金銭の合計金額と上位機器に通知される金銭の合計金額とが一致することになり、買い物客自らがレジ精算を行うセルフレジスタシステムにおいても、常に正確な精算を行うことが可能となる。
【００５２】
尚、上述した実施の形態１では、禁止指令出力部１１７から入金動作禁止指令が出力された後、バーコードリーダ１１を通じて商品の登録が開始されるまでの間、入金モード切替指令出力部１１９は、釣銭機２０に対して釣銭先行モードで動作する入金モード切替指令を出力し、バーコードリーダ１１を通じて商品の登録が開始された場合（図８のステップＳ１０１：Ｙｅｓ）、釣銭機２０に対して入金先行モードで動作する入金モード切替指令を出力するようにしたが、本発明はこれに限定されない。例えば、図９の他の例のフローチャートで示すように、禁止指令出力部１１７から入金動作禁止指令が出力された後、バーコードリーダ１１を通じた商品の登録が終了し、小計ボタン１２ａが操作されるまでの間、釣銭機２０に対して釣銭先行モードで動作する入金モード切替指令を出力し、小計ボタン１２ａが操作された場合（図９のステップＳ１０６：Ｙｅｓ）、釣銭機２０に対して入金先行モードで動作する入金モード切替指令を出力するようにしても良い（ステップＳ１０２′）。尚、図９に示すフローチャートにおいて図８のフローチャートと同じ処理については、同一のステップナンバーが付してある。
【００５３】
（実施の形態２）
上述した実施の形態１では、上位機器であるレジスタ装置１０からの入金モード切替指令に応じて釣銭機２０の入金モードを切り替えるようにしてセルフレジスタシステムを構成しているが、レジスタ装置からの入金モード切替指令を要することなくセルフレジスタシステムを構成することも可能である。
【００５４】
図１０は、実施の形態２のレジスタシステムに適用するレジスタ装置１０′及び釣銭機２０′の制御系を示すブロック図である。図１０からも明らかなように、実施の形態２において釣銭機２０′の上位機器となるレジスタ装置１０′のレジスタ制御部１００′は、実施の形態１のレジスタ制御部１００が有する入金モード切替指令出力部１１９を省略したものであり、実施の形態２で示す釣銭機２０′の制御部（制御手段）２００′は、実施の形態１の制御部２００が有する入金モード設定部２１４を省略したものである。
【００５５】
図１１は、上述したレジスタ装置１０′及び釣銭機２０′をセルフレジスタシステムで適用した場合にレジスタ装置１０′のレジスタ制御部１００′と釣銭機２０′の制御部２００′との間で繰り返し実施される取引処理及び入出金処理の内容を示すフローチャートである。以下、これらのフローチャートを参照しながらレジスタ装置１０′及び釣銭機２０′の動作について説明する。尚、以下の説明において実施の形態１と同様の構成に関しては同一の符号を付してそれぞれの詳細説明を省略している。
【００５６】
図１１に示す取引処理においてレジスタ制御部１００′は、まず入力制御部１１１を介してバーコードリーダ１１から入力があるか否かを監視する（ステップＳ３０１）。バーコードリーダ１１から入力がない場合（ステップＳ３０１：Ｎｏ）、レジスタ制御部１００′は、以降の処理を実施することなく手順をリターンさせる。
【００５７】
買い物客がレジ精算を行うべくバーコードリーダ１１で商品に添付されたバーコードの読み取りを行うと（ステップＳ３０１：Ｙｅｓ）、レジスタ制御部１００′は、その後、小計ボタン１２ａが押圧操作されるまでの間、バーコードリーダ１１を通じた商品の登録待機状態となる（ステップＳ３０２〜ステップＳ３０５）。
【００５８】
買い物客がバーコードリーダ１１を通じて商品の登録処理を行うと（ステップＳ３０２：Ｙｅｓ）、レジスタ装置１０′のレジスタ制御部１００′は、商品代金算出部１１３を通じて当該商品の代金情報を抽出し、これを商品代金として算出し（ステップＳ３０３）、さらに出力制御部１１２を通じて商品代金を表示器１２に表示する処理を行う（ステップＳ３０４）。購入した商品が複数の場合には、バーコードリーダ１１でバーコードを読み取るたびに抽出された商品の代金が加算され、その加算結果が表示器１２に都度表示されることになる。購入したすべての商品の登録処理が終了し、買い物客が表示器１２に表示された小計ボタン１２ａを押圧操作すると（ステップＳ３０５：Ｙｅｓ）、レジスタ制御部１００′は、許可指令出力部１１４を通じて釣銭機２０′に入金動作許可指令を出力する処理を行い（ステップＳ３０６）、その後、合計ボタン１２ｂが押圧操作されるまでの間、釣銭機２０′からの金銭情報の受信待機状態となる（ステップＳ３０７）。
【００５９】
一方、釣銭機２０′の制御部２００′は、釣銭先行モードに設定された状態にある。釣銭先行モードに設定された釣銭機２０′では、まず入出金処理部２１６を通じてメモリ２０２に格納された許可金種情報を読み出し、現在の入金モードである釣銭先行モードに応じて設定された許可金種の設定を行った後（ステップＳ４０１）、投入検出センサ２２ａ，２５ａを通じて貨幣の投入を監視し（ステップＳ４０２）、さらにレジスタ装置１０′からの入金動作許可指令の受信待機状態となる（ステップＳ４１３）。
【００６０】
レジスタ装置１０′から入金動作許可指令を受信した釣銭機２０′の制御部２００′は、入金モードが入金先行モードとなり（ステップＳ４１３：Ｙｅｓ）、入出金処理部２１６を通じてメモリ２０２に格納された許可金種情報を読み出し、現在の入金モードである入金先行モードに応じて設定された許可金種の設定を行う（ステップＳ４１４）。例えば、入金先行モードに対しては、入金許可金種設定部２１５を通じて予めすべての金種が許可金種として設定されているものとする。
【００６１】
許可金種の設定を行った釣銭機２０′では、投入検出センサ２２ａ，２５ａを通じて貨幣の投入を検出すると（ステップＳ４１５：Ｙｅｓ）、入金動作が開始され（ステップＳ４１６）、貨幣の投入なしを検出するまでの間、硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別される（ステップＳ４１７〜ステップＳ４２１）。つまり、入金先行モードでは、すべての貨幣について正規であるか否かが識別される。正規であると識別された貨幣は、金種別に硬貨収納庫１２４や紙幣収納庫１３４に収納され（ステップＳ４１７：Ｙｅｓ→ステップＳ４１８）、正規でないと識別された貨幣は、硬貨出金口２３及び紙幣出金口２６に払い出される（ステップＳ４１７：Ｎｏ→ステップＳ４１９）。この間、釣銭機２０′の制御部２００′は、金種情報出力部２１７を通じて硬貨収納庫１２４や紙幣収納庫１３４に収納された貨幣の金種情報をレジスタ装置１０′に出力する処理を行う（ステップＳ４２０）。投入検出センサ２２ａ，２５ａが貨幣の投入なしを検出した場合（ステップＳ４２１：Ｙｅｓ）、つまり、貨幣投入口２２，２５から投入されたすべての貨幣の識別が終了すると入金動作が終了し（ステップＳ４２２）、釣銭機２０′の制御部２００′は、レジスタ装置１０′からの入金動作禁止指令の受信待機状態となる（ステップＳ４２３）。尚、貨幣の金種情報をレジスタ装置１０′へ出力するタイミングは、必ずしも上記に限らない。例えば、硬貨識別センサ１２２や紙幣識別センサ１３２で貨幣の識別を行った時点、あるいは硬貨収納部１２０の一時保留庫１２３や紙幣収納部１３０の紙幣保留庫１３３に貨幣を収納した時点で金種情報をレジスタ装置１０′へ出力するようにしても良い。
【００６２】
釣銭機２０′から金種情報を受信したレジスタ装置１０′のレジスタ制御部１００′は、入金金額算出部１１５を通じて入金合計金額を算出し（ステップＳ３０７：Ｙｅｓ→ステップＳ３０８）、さらに出力制御部１１２を通じて入金合計金額を表示器１２に表示する処理を行う（ステップＳ３０９）。
【００６３】
釣銭機２０′に投入した貨幣の合計金額と、表示器１２に表示された入金合計金額とが一致するなどしてレジスタ装置１０′の合計ボタン１２ｂが押圧操作されると（ステップＳ３１０）、レジスタ制御部１００′は、精算演算部１１６を通じて小計ボタン１２ａの操作信号が与えられた時点での商品代金算出部１１３の算出した商品代金と、合計ボタン１２ｂの操作信号が与えられた時点での入金金額算出部１１５の算出した入金合計金額とを比較し、入金合計金額が商品代金以上であるか否かを判断する（ステップＳ３１１）。入金合計金額が商品代金に満たない場合（ステップＳ３１１：Ｎｏ）、レジスタ制御部１００′は、手順をステップＳ３０７に移行し、再び釣銭機２０′からの金種情報の受信待機状態となる。従って、釣銭機２０′に不足分の貨幣を投入すれば、投入した貨幣の金額が入金合計金額に加算されることになる。
【００６４】
一方、入金合計金額が商品代金以上である場合（ステップＳ３１１：Ｙｅｓ）、レジスタ制御部１００′は、さらに入金合計金額が商品代金を超えているか否かを判断する（ステップＳ３１２）。入金合計金額が商品代金を超えている場合（ステップＳ３１２：Ｙｅｓ）、レジスタ制御部１００′は、禁止指令出力部１１７を通じて釣銭機２０′に入金動作禁止指令を出力し（ステップＳ３１３）、その後、精算演算部１１６を通じて入金合計金額と商品代金の差額を算出し（ステップＳ３１４）、さらに釣銭機２０′に対して差額に応じた出金指令（差額≠０）を出力した後（ステップＳ３１５）、今回の取引処理を終了すべく手順をリターンする。
【００６５】
これに対して、入金合計金額が商品代金と等しい場合（ステップＳ３１２：Ｎｏ）、レジスタ制御部１００′は、禁止指令出力部１１７を通じて釣銭機２０′に入金動作禁止指令を出力し（ステップＳ３１６）、さらに釣銭機２０′に対して出金指令（差額＝０）を出力した後（ステップＳ３１７）、今回の取引処理を終了すべく手順をリターンする。
【００６６】
ステップＳ４２３においてレジスタ装置１０′から入金動作禁止指令を受信した釣銭機２０′の制御部２００′は、次いでレジスタ装置１０′から出金指令の受信待機状態となる（ステップＳ４２３：Ｙｅｓ→ステップＳ４２４）。レジスタ装置１０′から出金指令（差額≠０）を受信した場合（ステップＳ４２４：Ｙｅｓ）、釣銭機２０′の制御部２００′は、入出金処理部２１６を通じて硬貨収納庫１２４や紙幣収納庫１３４に収納されている貨幣を硬貨出金口２３及び紙幣出金口２６から装置筐体２１の外部に払い出す出金動作を行い（ステップＳ４２５）、その後、今回の入出金処理を終了すべく手順をリターンする。これに対してレジスタ装置１０′から出金指令（差額＝０）を受信した場合、釣銭機２０′の制御部２００′は、ステップＳ４２５の処理を実施することなく手順をリターンさせて今回の入出金処理を終了する。
【００６７】
一方、釣銭機２０′の制御部２００′は、入金動作許可指令を受信することなく投入検出センサ２２ａ，２５ａを通じて貨幣の投入を検出すると（ステップＳ４０２：Ｙｅｓ）、釣銭先行モードの状態で入金動作が開始される（ステップＳ４０３）。この釣銭機２０′に用意された釣銭先行モードは、有人レジスタシステムにおいて上位機器であるレジスタ装置１０′で既に商品の登録が完了し、小計ボタン１２ａが押圧操作された後に以下のように使用されるものである。すなわち、釣銭先行モードにおいては、貨幣の投入なしを検出するまでの間、硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別される（ステップＳ４０４〜ステップＳ４０８）。収納可能であると識別された貨幣は、金種別に硬貨収納庫１２４や紙幣収納庫１３４に収納され（ステップＳ４０４：Ｙｅｓ→ステップＳ４０５）、収納可能でないと識別された貨幣は、硬貨出金口２３及び紙幣出金口２６に払い出される（ステップＳ４０４：Ｎｏ→ステップＳ４０６）。この釣銭先行モードでは、金種情報出力部２１７を通じて硬貨収納庫１２４や紙幣収納庫１３４に収納された貨幣の金種情報をレジスタ装置１０′に出力する処理を行わない。
【００６８】
投入検出センサ２２ａ，２５ａが貨幣の投入なしを検出すると入金動作が終了し（ステップＳ４０８：Ｙｅｓ→ステップＳ４０９）、その後、レジスタ装置１０′からの出金指令の受信待機状態となる（ステップＳ４１０）。レジスタ装置１０′からの出金指令は、レジスタ装置１０′において店員により入金金額が入力された時点で、商品代金算出部１１３の算出した商品代金と、入力された入金合計金額とが比較され、入金合計金額が商品代金以上の場合に、釣銭機２０′に対して差額に応じた出金指令（差額≠０もしくは差額＝０）が出力される。
【００６９】
レジスタ装置１０′から出金指令（差額≠０）を受信した場合（ステップＳ４１０：Ｙｅｓ）、釣銭機２０′の制御部２００′は、入出金処理部２１６を通じて硬貨収納庫１２４や紙幣収納庫１３４に収納された貨幣を硬貨出金口２３及び紙幣出金口２６から装置筐体２１の外部に払い出す出金動作を行う（ステップＳ４１１）。レジスタ装置１０′から出金指令（差額＝０）を受信した場合（ステップＳ４１０：Ｎｏ）、釣銭機２０の制御部２００は、上述の出金動作を行うことなく手順をステップＳ４１３に移行させる。
【００７０】
硬貨搬送機構１２１及び紙幣搬送機構１３１が駆動して貨幣投入口２２，２５に投入された貨幣が硬貨識別センサ１２２及び紙幣識別センサ１３２において許可金種であるか否かが識別されている間にレジスタ装置１０′から出金指令（差額≠０）が出力された場合（ステップＳ４０７：Ｙｅｓ）、釣銭機２０′の制御部２００′は、入金動作を中断し、出金動作を優先して行う（ステップＳ４１１）。入金動作を中断した場合に出金動作を実施した釣銭機２０′の制御部２００′は、出金検出センサ２３ａ，２５ｂを介して硬貨出金口２３及び紙幣出金口２６が空になったか否かを監視し（ステップＳ４１２）、空になった場合に手順をステップＳ４０２に移行して入金動作を再開する。
【００７１】
上記のように動作する釣銭機２０′の釣銭先行モードに対しては、入金許可金種設定部２１５を通じて予め許可金種なしと設定すれば、貨幣投入口２２，２５から投入されたすべての貨幣が硬貨出金口２３及び紙幣出金口２６に払い出されることになる（ステップＳ４０４：Ｎｏ→ステップＳ４０６）。従って、セルフレジスタシステムに不慣れな買い物客や子供などが貨幣を誤って投入したとしても、レジスタ装置１０′において買い物客が新たに商品添付されたバーコードの読み取りを行う時点では、硬貨投入口２２及び紙幣投入口２５のいずれにも貨幣が残存していることがない。これにより、レジスタ装置１０′から入金動作許可指令が与えられてから入金動作禁止指令が与えられるまでの間においては、買い物客が実際に投入した金銭の合計金額と上位機器に通知される金銭の合計金額とが一致することになり、買い物客自らがレジ精算を行うセルフレジスタシステムにおいても、常に正確な精算を行うことが可能となる。
【００７２】
尚、上述した実施の形態１及び実施の形態２においては、紙幣投入口２５に紙幣を投入した場合にも、紙幣搬送機構１３１が駆動する以前においてはその一部が外部に露出されるように構成してあり、目視が可能であるばかりか次の紙幣の入金を邪魔するように機能する。従って、レジスタ装置１０，１０′から入金動作禁止指令が与えられた後、レジスタ装置１０，１０′から次の入金動作許可指令が与えられるまでの間に投入された紙幣については、必ずしも上記の処理を実施することなく、そのままの状態に維持するようにしても構わない。
【符号の説明】
【００７３】
１０，１０′      レジスタ装置
１１      バーコードリーダ
１２ａ      小計ボタン
１２ｂ      合計ボタン
２０      釣銭機
２２ａ，２５ｂ      出金検出センサ
１１３      商品代金算出部
１１４      許可指令出力部
１１５      入金金額算出部
１１６      精算演算部
１１７      禁止指令出力部
１１９      入金モード切替指令出力部
１２２      硬貨識別センサ
１２４      硬貨収納庫
１３２      紙幣識別センサ
１３４      紙幣収納庫
２００，２００′      制御部
２１４      入金モード設定部
２１５      入金許可金種設定部
２１７      金種情報出力部
２１６      入出金処理部
【図１】
2014130514.tif 000003
【図２】
2014130514.tif 000004
【図３】
2014130514.tif 000005
【図４】
2014130514.tif 000006
【図５】
2014130514.tif 000007
【図６】
2014130514.tif 000008
【図７】
2014130514.tif 000009
【図８】
2014130514.tif 000010
【図９】
2014130514.tif 000011
【図１０】
2014130514.tif 000012
【図１１】
2014130514.tif 000013